(57)【要約】【課題】回路基板に実装された電子部品の回路定数の調整を容易且つ的確に行うことが可能なドライバ支持機構を提供する。【解決手段】ドライバ支持機構は、挿入孔を有する支持部材と、それに挿入され、当該挿入孔への挿入方向に可動なドライバと、ドライバをその可動方向に付勢する弾性部材とを含む。ドライバの外周表面及び当該挿入孔の内周表面の少なくとも一方は、支持部材又はドライバの構成部材よりも摩擦係数の大きな移動阻害部材により構成され、移動阻害部材と、ドライバの外周表面又は当該挿入孔の内周表面とが接触してなる。従って、ドライバが元の位置に戻る際に、移動阻害部材の摩擦力によりドライバの移動速度を遅くできる。その結果、ドライバが元の位置へ戻る際の勢いで、例えば回路定数を適切に調整し終えた電子部品の調整ボリュームを不用意に回転させてしまうのを防止でき、電子部品の回路定数の調整を容易且つ的確に行える。【選択図】図１
2010017827.tif 000002
【特許請求の範囲】
【請求項１】
挿入孔を有する支持部材と、
前記挿入孔に挿入され、前記挿入孔への挿入方向に可動なドライバと、
前記ドライバをその可動方向に付勢する弾性部材と、を備え、
前記ドライバの外周表面、及び前記挿入孔の内周表面の少なくとも一方は前記支持部材又は前記ドライバを構成する部材よりも摩擦係数の大きな部材により構成されており、前記摩擦係数の大きな部材と、前記ドライバの外周表面又は前記挿入孔の内周表面とが接触してなることを特徴とするドライバの支持機構。
【請求項２】
前記ドライバは、先端部と、前記先端部に連なる位置に設けられた本体と、前記本体に連なる位置に設けられた段部と、を備え、
前記段部表面が、前記ドライバを構成する部材よりも摩擦係数の大きな部材により構成されてなることを特徴とする請求項１に記載のドライバの支持機構。
【請求項３】
前記支持部材の前記挿入孔の内周表面が、前記支持部材よりも摩擦係数の大きな部材にて形成されていることを特徴とする請求項１又は２に記載のドライバの支持機構。
【請求項４】
前記ドライバを回転させる回転調整機構を備えることを特徴とする請求項１乃至３のいずれか一項に記載のドライバの支持機構。
【請求項５】
前記支持部材に取り付けられ、前記ドライバの移動を阻止するストッパーを備えてなることを特徴とする請求項１乃至４のいずれか一項に記載のドライバの支持機構。
【請求項６】
前記弾性部材は、前記ドライバの外周部に嵌め込まれた押しばねであり、
前記ドライバにおいて、少なくとも前記押しばねが配置された部分は金属素材にて形成されていることを特徴とする請求項１乃至５のいずれか一項に記載のドライバの支持機構。
【請求項７】
請求項１乃至６の何れか一項に記載のドライバの支持機構を備えてなることを特徴とする回路基板の調整装置。
【発明の詳細な説明】
【技術分野】
【０００１】
本発明は、ドライバが支持部材に移動可能に支持されたドライバの支持機構に関するものであり、特に、回路基板に実装された電子部品の回路常数をドライバによって回転調整することが可能な回路基板の調整装置の構造に関するものである。
【背景技術】
【０００２】
現在、携帯電話機、携帯情報端末機、コンピュータディスプレイなどの電子機器において、表示装置として液晶装置が好適に用いられている。
【０００３】
このような液晶装置では、一般的に、電子機器と電気的に接続する媒体としての回路基板が実装されている。例えば、回路基板としては、ＦＰＣ（Flexible Printed Circuit）などが挙げられる。かかる回路基板には、供給される電圧などを調整する目的で、調整ドライバなどの調整治具を用いて回路定数（抵抗など）を変えることのできる半固定抵抗などの電子部品が実装されることがある。
【０００４】
例えば、液晶装置の検査工程では、液晶装置の電源電圧などを調整して適切な映像を得るために、調整治具を用いて半固定抵抗などの電子部品の回路定数の調整を行う（例えば、特許文献１を参照）。
【０００５】
【特許文献１】特開２０００−２４１７８３号公報
【発明の開示】
【発明が解決しようとする課題】
【０００６】
本発明は、以上の点に鑑みてなされたものであり、回路基板に実装された電子部品の回路定数の調整を容易且つ的確に行うことが可能なドライバの支持機構、および回路基板の調整装置を提供することを課題とする。
【課題を解決するための手段】
【０００７】
本発明の１つの観点では、ドライバの支持機構は、挿入孔を有する支持部材と、前記挿入孔に挿入され、前記挿入孔への挿入方向に可動なドライバと、前記ドライバをその可動方向に付勢する弾性部材と、を備え、前記ドライバの外周表面、及び前記挿入孔の内周表面の少なくとも一方は前記支持部材又は前記ドライバを構成する部材よりも摩擦係数の大きな部材により構成されており、前記摩擦係数の大きな部材と、前記ドライバの外周表面又は前記挿入孔の内周表面とが接触してなることを特徴とする。
【０００８】
本発明にあっては、ドライバの先端部に向かい合うように台座を設けてもよい。台座には、例えば、回路定数を調整可能な調整ボリュームを有する電子部品が実装された回路基板等が載置される。台座には、ドライバが挿入される挿入孔が設けられた他の支持部材を支持部材とは別途に取り付けてもよい。支持部材によって支持されたドライバは、他の支持部材に設けた挿入孔を貫通し、その先端部が、例えば前述の回路基板と対峙することとなる。そして、可動なドライバを台座方向に移動させて、ドライバの先端を例えば前述の調整ボリュームに係合させ、そして回転させることにより調整ボリュームの回路定数を調整する。調整後には、弾性部材の付勢によりドライバは元の位置に戻る。
【０００９】
本発明によれば、ドライバの外周表面、又は前記挿入孔の内周表面は前記支持部材又は前記ドライバを構成する部材よりも摩擦係数の大きな部材により構成され、そしてその部材と、ドライバの外周表面又は挿入孔の内周表面とが接触している。したがって、ドライバが元の位置に戻る際に、部材の摩擦力によりドライバの移動速度を遅くすることができる。その結果、ドライバがその弾性力が作用する方向へ移動するときの勢いで、例えば、回路定数を適切に調整し終えた電子部品の調整ボリュームを不用意に回転させてしまうといったことを防止できる。
【００１０】
好適な例では、前記ドライバは、先端部と、前記先端部に連なる位置に設けられた本体と、前記本体に連なる位置に設けられた段部と、を備え、前記段部表面が、前記ドライバを構成する部材よりも摩擦係数の大きな部材により構成されてなる。また、前記支持部材の前記挿入孔の内周表面が、前記支持部材よりも摩擦係数の大きな部材にて形成されている。
【００１１】
上記のドライバの支持機構の一つの態様では、前記ドライバを回転させる回転調整機構を備える。これによれば、回転調整機構によりドライバを回転させることにより、電子部品の回路定数を容易に調整することが可能となる。
【００１２】
上記のドライバの支持機構の他の態様では、前記支持部材に取り付けられ、前記ドライバの移動を阻止するストッパーを備えてなる。これによれば、ユーザがドライバによって電子部品の回路定数を調整する際に、ストッパーによりドライバの移動を阻止させることで、電子部品の回路定数の調整を容易に行うことができる。例えば、ユーザがドライバを電子部品側に押圧しながら、その調整ボリュームを調整しなくてすむので、電子部品の回路定数の微調整が容易となる。即ち、ドライバの先端部を電子部品の調整ボリュームに係合させた後は、ストッパーにより支持部材に対してドライバの位置が固定され、電子部品の調整ボリュームを回転させるだけでよいので、近年薄型化しつつある電子部品を破損させることなく、その電子部品の回路定数を容易に調整することが可能となる。
【００１３】
上記のドライバの支持機構の他の態様では、前記弾性部材は、前記ドライバの外周部に嵌め込まれた押しばねであり、前記ドライバにおいて、少なくとも前記押しばねが配置された部分は金属素材にて形成されている。これによれば、電子部品の回路定数の調整時に、ドライバと弾性部材との摩擦より異物は生じ難く、ドライバと弾性部材との間に異物が挟まってしまうといったことを低減できる。その結果、ドライバの先端部を電子部品の調整ボリュームに対して適切な荷重にて係合させることが可能となり、過大な荷重の付与により電子部品を破損させてしまうといったことを防止できる。
【００１４】
本発明の他の観点では、上記の何れかのドライバの支持機構を備えてなる回路基板の調整装置を構成することができる。
【発明を実施するための最良の形態】
【００１５】
以下、図面を参照して本発明を実施するための最良の形態について説明する。
【００１６】
[回路基板調整装置の構成]
まず、図１乃至図３を参照して、本発明の実施形態に係るドライバの支持機構を有する回路基板の調整装置（以下、「回路基板調整装置」と称する）の構成について説明する。
【００１７】
図１（ａ）は、回路基板調整装置１００の高さ方向に沿った断面図を示す。図１（ｂ）は、回路基板調整装置１００の平面図を示す。図２（ａ）は、図１（ａ）の矢印Ｙ１方向から見た回路基板調整装置１００を構成するドライバ５等の側面図を示す。図２（ｂ）は、ドライバ５の先端部５ａの形状を拡大した平面図を示す。図２（ｃ）は、回路定数を調整可能な電子部品が実装された回路基板を備える表示装置の平面図を示す。図３は、回路基板調整装置１００を構成するストッパー８付近の要部平面図を示す。
【００１８】
回路基板調整装置１００は、回路基板に実装された電子部品の調整ボリュームを回転させて、その電子部品の回路定数（抵抗値など）を適切な値に調整する役割を有する。かかる回路基板調整装置１００は、例えば、表示装置に接続された回路基板に実装された電子部品の回路定数を調整する用途として適用できる。
【００１９】
例えば、表示装置５０は、図２（ｃ）に示すように、フレキシブル基板などの回路基板２０と、回路基板２０に実装された電子部品２１と、を有する。電子部品２１は、例えば半固定抵抗であり、回路定数（抵抗値）を変化させる回転式の調整ボリューム２２と、基材２３と、基材２３上に形成された馬蹄状の平面形状を有する導電膜（抵抗膜）２４と、抵抗膜２４と電気的に接続され、抵抗膜２４に沿って移動可能に構成される導電ブラシ２５と、を有する。かかる電子部品２１では、調整ボリューム２２を図中矢印のように時計回り又は反時計回りの方向に回転させることにより、導電ブラシ２５と抵抗膜２４との接触位置が変化し、これに応じて電子部品２１の回路定数（抵抗値）が変化する。
【００２０】
よって、かかる表示装置５０に対して回路基板調整装置１００を適用する場合、表示装置５０の検査工程などにおいて、その回路基板２０に実装された電子部品２１の調整ボリューム２２を回転させることで、例えば表示装置５０へ供給する電源電圧を基準電圧値となるように調整することができる。これにより、フリッカやチラツキなどのない高品位の表示画像を得ることが可能となる。なお、本発明に適用可能な電子部品は、半固定抵抗に限定されず、例えば半固定コンデンサなど回路定数を変化させることが可能なものであれば、どのようなものであってよい。
【００２１】
具体的に、回路基板調整装置１００は、台座１と、水平移動機構２と、第１支持部材３と、第２支持部材４と、ドライバ５と、弾性部材６と、環状部材７と、ストッパー８と、一対の移動規制部材（９ａ、９ｂ）と、を有するドライバの支持機構を備える。
【００２２】
台座１は、板状の形状を有し、水平移動機構２と、第１支持部材３と、第２支持部材４と、ドライバ５と、弾性部材６と、環状部材７と、ストッパー８と、一対の移動規制部材（９ａ、９ｂ）を支持する。また、台座１は、表示装置５０を収容するための凹部１ａを有する。この凹部１ａ内に表示装置５０が収容されることにより、台座１に対する表示装置５０の移動が規制される。
【００２３】
水平移動機構２は、後述する第１支持部材３を水平方向に移動させる役割を有する。水平移動機構２としては、例えば、レール２ａと、図１（ｂ）の矢印Ｙ１０方向に示すようにレール２ａに沿って移動する移動部２ｂと、を備えるものが挙げられる。例えば、台座１の凹部１ａ内に表示装置５０を収容する場合には、水平移動機構２を通じて、第１支持部材３を凹部１ａと平面的に重ならない位置に移動させてから、表示装置５０を台座１の凹部１ａ内に収容する。なお、台座１の凹部１ａ内へ表示装置５０を収容した後は、ドライバ５により、電子部品２１の調整ボリューム２２を回転させることが可能な位置に配置されるように、第１支持部材３を移動させる。一方、台座１の凹部１ａ内に収容された表示装置５０を取り出すには、水平移動機構２を通じて、第１支持部材３を凹部１ａと平面的に重ならない位置に移動させてから、表示装置５０を台座１の凹部１ａ内から取り出す。このように、水平移動機構２を設けることにより、台座１等に対する表示装置５０のセッティングを容易に行うことができる。
【００２４】
第１支持部材３は、板状の形状を有し、複数の支柱部材３０を介して水平移動機構２の移動部２ｂに取り付けられている。また、第１支持部材３は、ドライバ５を挿入するための挿入孔３ａを有し、第２支持部材４と共にドライバ５を回路基板調整装置１００の高さ方向Ｙ２又は高さ方向Ｙ２とは逆方向Ｙ３に移動自在に支持する。
【００２５】
第２支持部材４は、板状の形状を有し、複数の支柱部材３０を介して第１支持部材３に取り付けられている。また、第２支持部材４は、ドライバ５を挿入するための挿入孔４ａを有し、ドライバ５を回路基板調整装置１００の高さ方向Ｙ２又は高さ方向Ｙ２とは逆方向Ｙ３に移動自在に支持する。第２支持部材４の挿入孔４ａは、第２支持部材４に対して、後述するドライバ５の段部５ｃを摺動させることが可能な大きさ（本例では直径）を有する。また、第２支持部材４の挿入孔４ａには、摩擦係数の大きな素材（例えばゴムなど）にて形成された移動阻害部材（例えばＯリング）３３が嵌め込まれている。これにより、第２支持部材４の挿入孔４ａの内周表面（移動阻害部材の部分）が、第２支持部材４よりも摩擦係数の大きな部材にて形成されている。移動阻害部材３３は、ドライバ５の先端部５ａと電子部品２１の調整ボリューム２２との係合を解除する際に、ドライバ５の移動に伴って後述するドライバ５の段部５ｃと接触することで、第２支持部材４に対してドライバ５の移動を阻害する役割を有する。また、第２支持部材４上には、ドライバ５の先端部５ａと電子部品２１の調整ボリューム２２との係合を補助するアライメントマーク（図１（ｂ）において破線で示す）４ｂが形成されている。ユーザが、後述するドライバ５の回転調整機構５ｄを通じて、後述する突起部７ａを基準位置としてのアライメントマーク４ｂと平面的に重なり合わせることにより、ドライバ５の先端部５ａが電子部品２１の調整ボリューム２２の溝２２ａに係合される位置に配置される。
【００２６】
ドライバ５は、第１支持部材３の挿入孔３ａ及び第２支持部材４の挿入孔４ａに挿入され、挿入孔３ａ及び４ａへの挿入方向に可動可能に構成される。そして、ドライバ５は、回路基板２０に実装された電子部品２１の調整ボリューム２２を回転させて、その電子部品２１の回路定数を適切な値に調整する。具体的に、ドライバ５は、先端部５ａと、本体５ｂと、段部５ｃと、回転調整機構５ｄと、を有する。
【００２７】
先端部５ａは、図２（ａ）及び（ｂ）に示すように、電子部品２１の調整ボリューム２２の鉤形状の溝２２ａに係合又は嵌合する断面鉤形状を有する鉤状部分５ａｘを有する。具体的に、先端部５ａの鉤状部分５ａｘは、断面円形状の円形部５ａｂと、円形部５ａｂから外側に突出する突起部５ａｃと、を有する。
【００２８】
本体５ｂは、先端部５ａに連なる位置に設けられ、棒状の形状を有する。本体５ｂは、例えば金属素材（例えばステンレスなど）にて形成されている。本体５ｂは、第２支持部材４の挿入孔４ａより断面形状又は直径が小さい。段部５ｃの表面は、ドライバ５の先端部５ａと電子部品２１の調整ボリューム２２との係合を解除する際に、第２支持部材４に対してドライバ５の移動を阻害する移動阻害部材にて形成されている。例えば、段部５ｃの表面は、ドライバ５を構成する部材よりも摩擦係数の大きな移動阻害部材により構成されている。ここで、移動阻害部材としては、例えば、本体５ｂに比べて摩擦力の大きい素材（ゴムなど）であることが好ましい。段部５ｃは、本体５ｂに連なる位置に設けられている。段部５ｃの断面形状は、本体５ｂの断面形状より大きい。本例では、段部５ｃの直径ｄ１は、本体５ｂの直径ｄ２より大きい。なお、段部５ｃは、第２支持部材４の挿入孔４ａと略同一の大きさを有する。
【００２９】
回転調整機構５ｄは、ドライバ５の先端部５ａとは逆側に且つ段部５ｃに連なる位置に設けられ、ユーザによって回転させられることにより、ドライバ５の先端部５ａを回転させ、これにより電子部品２１の調整ボリューム２２を回転させるための機能を有する。電子部品２１の調整ボリューム２２の微調整を容易とするためには、回転調整機構５ｄの直径又は外形は出来る限り大きいほうが望ましい。
【００３０】
弾性部材６は、例えばドライバ５の本体５ｂの外周部に嵌め込まれた押しばねである。弾性部材６は、第２支持部材４及びドライバ５に取り付けられた環状部材７に支持され、ドライバ５の先端部５ａを電子部品２１の調整ボリューム２２から離隔させる方向（即ち、ドライバ５をその可動方向）に付勢する役割を果たす。なお、本実施形態では、弾性部材６はドライバ５と独立の構成要素として構成されているが、これに限らず、本発明では、弾性部材６はドライバ５の構成要素として構成されていてもよい。
【００３１】
環状部材７は、第２支持部材４の挿入孔４ａより大きな形状を有する環状の部材であり、第１支持部材３と第２支持部材４との間に配置された本体５ｂに対して取り付けられる。環状部材７は、主として、ドライバ５の移動による弾性部材６の伸長時にドライバ５が第２支持部材４から離脱を防止する機能と、ドライバ５の移動による弾性部材６の収縮時にその弾性部材６の形状を保持する機能とを有する。環状部材７には、外側へ突出する突起部７ａが設けられている。突起部７ａは、ドライバ５の先端部５ａに設けられた突起部５ａｃと同一直線上に位置している。突起部７ａは、ドライバ５の回転調整機構５ｄを回転させて当該突起部７ａと第２支持部材４のアライメントマーク４ｂとを平面的に重なり合わせることで、ドライバ５の先端部５ａを電子部品２１の調整ボリューム２２の溝２２ａに係合させる位置に配置する役割を有する。なお、本実施形態では、環状部材７及び突起部７ａはドライバ５と独立の構成要素として構成されているが、これに限らず、本発明では、環状部材７及び突起部７ａはドライバ５の構成要素として構成されていてもよい。
【００３２】
ストッパー８は、図１（ｂ）及び図３に示すように、板状の形状を有し、第２支持部材４に取り付けられた支持部材３１に取り付けられている。支持部材３１は、第２支持部材４に対して、ストッパー８を水平方向に回転させる役割を果たす。つまり、ストッパー８は、支持部材３１を基点にして、第２支持部材４に対して水平方向に回転可能に構成される。また、ストッパー８は、段部５ｃに係合する切り欠き形状の係合部８ａを有する。ドライバ５の先端部５ａを電子部品２１の調整ボリューム２２の溝２２ａに係合させる際に、ストッパー８の係合部８ａに段部５ｃを係合させることで、第２支持部材４に対してドライバ５の移動が規制される。このため、ユーザがドライバ５によって電子部品２１の回路定数を調整する際に、ストッパー８によりドライバ５の移動を阻止させることで、電子部品２１の回路定数の調整を容易に行うことができる。例えば、ユーザがドライバ５を電子部品２１側に押圧しながら、その調整ボリューム２２を調整しなくてすむので、電子部品２１の回路定数の微調整が容易となる。
【００３３】
一対の移動規制部材（９ａ、９ｂ）は、例えば一対の棒状部材であり、第２支持部材４に取り付けられた支持部材３２に取り付けられている。一対の移動規制部材（９ａ、９ｂ）は、支持部材３２において相互に一定の間隔をおいて配置されていると共に、回転調整機構５ｄの中心Ｏから放射方向に配置されている。一対の移動規制部材（９ａ、９ｂ）は、突起部７ａの回転範囲を規制する役割を果たす。即ち、突起部７ａの可動範囲は、一対の移動規制部材（９ａ、９ｂ）の間においてのみ回転可能に構成される。これにより、電子部品２１の回路定数を調整する際に、抵抗膜２４に対して適切な範囲でブラシ２５を移動させることができる。そのため、ユーザが、誤って、電子部品２１のブラシ２５を基材２１における抵抗膜２４の形成されていない領域に位置させるといったことを防止できる。
【００３４】
（回路基板調整装置による電子部品の回路定数の調整方法）
次に、図４及び図５等を参照して、本実施形態に係る回路基板調整装置１００による電子部品２１の回路定数の調整方法の一例について説明する。
【００３５】
図４及び図５は、図１（ｂ）に対応する拡大断面図であり、回路基板調整装置１００を用いた電子部品２１の回路定数を調整するための調整工程を示す。
【００３６】
まず、図４に示すように、台座１の凹部１ａ内へ表示装置５０を収容する。これにより、台座１に対して表示装置５０の移動が規制される。次に、図１（ｂ）及び図４に示すように、回転調整機構５ｄを時計方向又は反時計方向に回転させて、突起部７ａとアライメントマーク４ｂとの位置合わせを行いつつ、さらに弾性部材６の弾性力に抗してドライバ５を電子部品２１に近づく方向（矢印Ｙ３方向）に移動させ、図５に示すように、ドライバ５の先端部５ａの鉤状部分５ａｘを電子部品２１の調整ボリューム２２の溝２２ａに嵌合又は係合させる。次に、図３に示すように、ストッパー８を、支持部材３１を基点にして第２支持部材４に対して水平方向に回転させ、ストッパー８の係合部８ａを、ドライバ５の段部５ｃに係合させる。これにより、第２支持部材４に対するドライバ５の移動が阻止される。
【００３７】
次に、回転調整機構５ｄを時計方向又は反時計方向に回転させることで、電子部品２１の調整ボリューム２２を時計方向又は反時計方向に回転させて、電子部品２１の回路定数が目的とする基準範囲内となるように調整する。このとき、回転調整機構５ｄにより、突起部７ａを一対の移動規制部材（９ａ、９ｂ）の範囲内において回転させることで、電子部品２１の回路定数を基準範囲内となるように容易に調整することができる。これにより、例えば表示装置５０の場合は、供給される電源電圧が基準電圧値となるように調整することで、フリッカやチラツキなどのない高品位の表示画像を得ることが可能となる。
【００３８】
次に、ストッパー８を、支持部材３１を基点にして第２支持部材４に対して水平方向に回転させ、ドライバ５の段部５ｃに対するストッパー８の係合部８ａの係合を解除する。これにより、ドライバ５は、弾性部材６の持つ弾性力（付勢力）によって回路基板調整装置１００の高さ方向Ｙ２に移動する。このとき、つまりドライバ５の先端部５ａと電子部品２１の調整ボリューム２２との係合を解除する際に、ドライバ５は、第２支持部材４の挿入孔４ａの内周部に配置された移動阻害部材３３と移動規制部材により形成された段部５ｃとの接触によって、回路基板調整装置１００の高さ方向Ｙ２への移動が妨げられる。そのため、回路基板調整装置１００の高さ方向Ｙ２へのドライバ５の移動速度が遅くなる。その結果、ドライバ５がその高さ方向Ｙ２へ移動するときの勢いで、回路定数を適切に調整し終えた電子部品２１の調整ボリューム２２を不用意に回転させてしまうといったことを防止できる。そして、ドライバ５の本体５ｂが第２支持部材４の挿入孔４ａに位置した段階で、弾性部材６の持つ弾性力によりドライバ５は速やかに規定の静止位置まで移動して静止する。これは、ドライバ５の本体５ｂの形状が第２支持部材４の挿入孔４ａより小さいためである。こうして、電子部品２１の回路定数の調整作業に要する時間を短縮化することができる。
【００３９】
次に、本実施形態に係るドライバ支持機構を有する回路基板調整装置１００の作用効果の一例について説明する。
【００４０】
まず、本実施形態に係るドライバ支持機構を有する回路基板調整装置１００は、挿入孔４ａを有する第２支持部材４と、挿入孔４ａに挿入され、挿入孔４ａへの挿入方向に可動なドライバ５と、ドライバ５をその可動方向に付勢する弾性部材６と、を備え、ドライバ５の外周表面、及び第２支持部材４の挿入孔４ａの内周表面の少なくとも一方は、第２支持部材４又はドライバ５を構成する部材よりも摩擦係数の大きな移動阻害部材により構成されており、移動阻害部材と、ドライバ５の外周表面又は第２支持部材４の挿入孔４ａの内周表面とが接触してなる。したがって、ドライバ５が元の位置に戻る際に、移動阻害部材の摩擦力によりドライバ５の移動速度を遅くすることができる。その結果、ドライバ５がその弾性力が作用する方向へ移動するときの勢いで、例えば、回路定数を適切に調整し終えた電子部品２１の調整ボリュームを不用意に回転させてしまうといったことを防止できる。そのため、電子部品２１の回路定数の調整を容易且つ的確に行うことができる。
【００４１】
好適な例では、ドライバ支持機構を有する回路基板調整装置１００は、抵抗などの回路定数を調整可能な調整ボリューム２２を有する電子部品２１が実装された回路基板２０を載置する台座１と、台座１に支持され、挿入孔３ａを有する第１支持部材３と、第１支持部材３に支持され、挿入孔４ａを有する第２支持部材４と、第１支持部材３及び第２支持部材４の挿入孔３ａ、４ａを貫通する位置に設けられ、電子部品２１の調整ボリューム２２を時計方向又は反時計方向に回転させて、電子部品２１の回路定数を変化させるドライバ５と、第２支持部材４及びドライバ５に支持され、ドライバ５の先端部５ａを電子部品２１の調整ボリューム２２から離隔させる方向に付勢する弾性部材６と、を備える。そして、ドライバ５の段部５ｃ及び第２支持部材４の挿入孔４ａにおける内周部に配置された移動阻害部３３は、それぞれ、ドライバ５の先端部５ａと電子部品２１の調整ボリューム２２の溝２２ａとの係合を解除する際に、第２支持部材４に対してドライバ５の移動を阻害する移動阻害部材にて形成されている。
【００４２】
これにより、第２支持部材４に対してドライバ５の移動が阻害され、回路基板調整装置１００の高さ方向（弾性部材６の弾性力が作用する方向）Ｙ２へのドライバ５の移動速度を遅くすることができる。その結果、ドライバ５がその高さ方向Ｙ２へ移動するときの勢いで、回路定数を適切に調整し終えた電子部品２１の調整ボリューム２２を不用意に回転させてしまうといったことを防止できる。
【００４３】
なお、これに限らず、本発明では、上記同様の作用効果を得るためには、ドライバ５の段部５ｃ及び第２支持部材４の挿入孔４ａにおける内周部の何れか一方が、ドライバ５の先端部５ａと電子部品２１の調整ボリューム２２の溝２２ａとの係合を解除する際に、第２支持部材４に対してドライバ５の移動を阻害する移動阻害部材にて形成されている構成であればよい。
【００４４】
また、ドライバ支持機構を有する回路基板調整装置１００は、第２支持部材４に回転自在に支持され、且つドライバ５の先端部５ａを調整ボリューム２２の溝２２ａに係合させた際に、ドライバ５の段部５ｃと係合することで、第２支持部材４に対するドライバ５の移動を阻止するストッパー８を備えている。これにより、ユーザがドライバ５を電子部品２１側に押圧しながら、その調整ボリューム２２を調整しなくてすむ。即ち、ドライバ５の先端部５ａを電子部品２１の調整ボリューム２２に係合させた後は、ストッパー８の働きにより、回転調整機構５ｄを回転させるだけでよいので、近年薄型化しつつある電子部品２１を破損させることなく、電子部品２１の調整ボリューム２２を通じて回路定数を容易に調整することが可能となる。
【００４５】
また、ドライバ支持機構を有する回路基板調整装置１００では、弾性部材６は、ドライバ５の本体５ｂの外周部に嵌め込まれた押しばねであり、ドライバ５の本体５ｂにおいて、少なくとも押しばねが配置された部分は金属素材にて形成されているので、次のような利点がある。
【００４６】
ここで、ドライバ５の本体５ｂが樹脂により形成されている場合、電子部品２１の回路定数の調整時に、本体５ｂの当初より存在するバリや、ドライバ５と弾性部材６との摩擦により生じる異物などがドライバ５と弾性部材６との間に挟まることで、ドライバ５の移動を妨げる虞がある。そうすると、ドライバ５の先端部５ａを電子部品２１の調整ボリューム２２の溝２２ａに係合させるときに、当該溝２２ａに対して必要以上の荷重がかかり、或いはドライバ５の先端部５ａが電子部品２１の調整ボリューム２２の溝２２ａでない部位に接触して、電子部品２１を破損させてしまうといったことが起こり得る。
【００４７】
この点、ドライバ支持機構を有する回路基板調整装置１００では、ドライバ５の本体５ｂにおいて、少なくとも押しばね（弾性部材６）が配置された部分は金属素材にて形成されているので、電子部品２１の回路定数の調整時に、ドライバ５と弾性部材６との摩擦より異物は生じ難く、ドライバ５と弾性部材６との間に異物が挟まってしまうといったことを低減できる。その結果、ドライバ５の先端部５ａを電子部品２１の調整ボリューム２２の溝２２ａに対して適切な荷重にて係合させることが可能となり、過大な荷重の付与により電子部品２１を破損させてしまうといったことを防止できる。
【００４８】
また、ドライバ支持機構を有する回路基板調整装置１００では、電子部品２１の調整ボリューム２２は、鉤状の形状を有する溝２２ａを有し、ドライバ５の先端部５ａは、溝２２ａに嵌合する鉤状部分５ａｘを有し、ドライバ５には、鉤状部分５ａｘと溝２２ａとを係合させる位置に配置するための突起部７ａが取り付けられている。これにより、ドライバ５の先端部５ａと電子部品２１の調整ボリューム２２の溝２２ａとの係合時に、ドライバ５の先端部５ａの鉤状部分と、電子部品２１の調整ボリューム２２の溝２２ａとの位置を容易に一致させることができる。
【００４９】
また、ドライバ支持機構を有する回路基板調整装置１００では、第２支持部材４は、ドライバ５の先端部５ａの鉤状部分５ａｘが電子部品２１の調整ボリューム２２の溝２２ａに係合した際に、突起部７ａと平面的に重なる位置に形成されたアライメントマーク４ｂを備えている。そして、突起部７ａをアライメントマーク４ｂと平面的に重なり合わせることにより、鉤状部分５ａｘが電子部品２１の調整ボリューム２２の溝２２ａに係合される位置に配置される。これにより、的確にドライバ５の先端部５ａの鉤状部分５ａｘを、電子部品２１の調整ボリューム２２の溝２２ａに係合させることができる。
【００５０】
また、ドライバ支持機構を有する回路基板調整装置１００は、突起部７ａの両側に設けられた一対の移動規制部材（９ａ、９ｂ）を備え、一対の移動規制部材（９ａ、９ｂ）は、電子部品２１の調整ボリューム２２の可動範囲が基準範囲内となるように突起部７ａの回転方向の動きを規制する。これによれば、突起部７ａを一対の移動規制部材（９ａ、９ｂ）の範囲内において回転させることで、電子部品２１の回路定数を基準範囲内となるように容易に調整することができる。
【００５１】
[変形例]
本発明では、その趣旨を逸脱しない範囲において種々の変形をすることが可能である。
【００５２】
例えば、図６は、図４に対応する、変形例に係るドライバ支持機構を有する回路基板調整装置１００ａの断面図を示す。
【００５３】
このドライバ支持機構を有する回路基板調整装置１００ａでは、第２支持部材４にアライメントマーク４ｂを設ける代わりに、ドライバ５の突起部５ｆを電子部品２１側へ案内する案内部３５を備えている。なお、このドライバ支持機構を有する回路基板調整装置１００ａは、上記した回路基板調整装置１００に対して、この点を除けば同様の構成を有する。案内部３５は、ドライバ５の先端部５ａの鉤状部分５ａｘが電子部品２１の調整ボリューム２２の溝２２ａに対して係合するように突起部７ａの回転方向の動きを規制する。これにより、的確にドライバ５の先端部５ａの鉤状部分５ａｘを、電子部品２１の調整ボリューム２２の溝２２ａに係合させる位置に配置することができる。
【００５４】
なお、回路基板調整装置１００ａの高さ方向Ｙ２に対応する案内部３５の長さは、ドライバ５の先端部５ａの鉤状部分５ａｘを、電子部品２１の調整ボリューム２２の溝２２ａに係合させた場合に、突起部７ａの回転方向の動きを妨げない長さとされる。
【図面の簡単な説明】
【００５５】
【図１】本発明の本実施形態に係るドライバ支持機構を有する回路基板調整装置の断面構成及び平面構成を示す。
【図２】回路基板調整装置を構成するドライバ等の側面図等を示す。
【図３】回路基板調整装置を構成するストッパー付近の平面構成を示す。
【図４】回路基板調整装置を用いた電子部品の回路定数を調整する工程図を示す。
【図５】回路基板調整装置を用いた電子部品の回路定数を調整する工程図を示す。
【図６】本発明の変形例に係る回路基板調整装置の断面構成を示す。
【符号の説明】
【００５６】
１  台座、  １ａ  凹部、  ２  水平移動機構、  ３  第１支持部材、  ３ａ  挿入孔、  ４  第２支持部材、  ４ａ  挿入孔、  ５  ドライバ、  ５ａ  先端部、  ５ａｘ  鉤状部分、  ５ｂ  本体、  ５ｃ  段部、  ５ｄ  回転調整機構、  ６  弾性部材、  ７  環状部材、  ７ａ  突起部、  ８  ストッパー、  ８ａ  係合部、  ９ａ、９ｂ  移動規制部、  ２０  回路基板、  ２１  電子部品、  ２２  調整ボリューム、  ２２ａ  溝、  ２４  抵抗膜、  ２５  ブラシ、  ３３  移動阻害部材、  ３５  案内部、  ５０  表示装置、  １００、１００ａ  回路基板調整装置
【図１】
2010017827.tif 000003
【図２】
2010017827.tif 000004
【図３】
2010017827.tif 000005
【図４】
2010017827.tif 000006
【図５】
2010017827.tif 000007
【図６】
2010017827.tif 000008